(57)【要約】【課題】 組立て、解体の作業性がよく、解体時にも楔が横部材から分離しない簡便な手段を備えた安全性の高い組立て足場の連結装置を提供する。【解決手段】この組立て足場は、支柱に固設された平面視コ字状で下方へ傾斜した受金具２に、横材１０ａの端部に固設された連結金具１０ｂを係合させて横部材１０を支柱１に連結するものである。連結装置は、受金具２と連結金具１０ｂと楔２７とから構成されている。連結金具１０ｂは、横材１０ａの端部に固設された端金１１と、端金１１内に水平方向の支持ピン１６で回動可能に支持され下端に係止爪２２ｃを備えるとともに、楔２７が下から叩かれたとき楔が上方へ抜けないようにするため、楔が所定以上に上方へ移動すると係止するストッパ２２ｅを備えた係止金具２２と、係止金具２２の上部を外方へ付勢する板バネ１３と、から構成されている。【選択図】図１
0003123197.tif 000002
【実用新案登録請求の範囲】
【請求項１】
支柱に備えた平面視コ字状で下方へ傾斜した受金具に、横部材に備えた連結金具を係合させ、上方から楔を嵌入させて連結する組立て足場の連結装置であって、該連結金具は、該横部材の端部に固設され平面視逆コ字状で該支柱の受金具に係合する係合凹部１１ｈを備えた端金１１と、該端金１１内に設けられた係止金具２２および弾性部材とからなり、該係止金具２２は水平方向の支持ピンで回動可能に支持され、楔が嵌入したとき該受金具に係止する係止爪２２ｃを下端に備えるとともに、楔が上方へ抜けないようにするため、楔が所定以上に上方へ移動すると係止するストッパ２２ｅを備え、該弾性部材は、該係止金具２２の上部を外方へ付勢するように設けられたことを特徴とする組立て足場の連結装置。
【請求項２】
前記弾性部材は、板バネであり、その上端と下端をそれぞれ水平方向のピンに係止して前記係止金具２２の背面側に配置したことを特徴とする請求項１記載の組立て足場の連結装置。
【考案の詳細な説明】
【技術分野】
【０００１】
本考案は、支柱に横部材を連結して組立てられる組立て足場の連結装置に係り、特に楔緊結式のものに関する。
【背景技術】
【０００２】
建物に付設される組立式の足場は、繰り返し使用され、一般に、鋼管製の支柱に横部材を連結して組立てられている。支柱に横部材を連結する手段としては、クランプ式のものと楔緊結式のものが知られ、実用化されている。楔緊結式は、例えば、図４に示すように、支柱１に平面視コ字状で下方へ傾斜した受金具２を固設し、横部材４の両端に固設した楔状の係入金具４ａを係入させて、上方からハンマーで叩いて緊結するものが広く使用されている。これは、簡素な構造で耐久性も高いが、係入金具４ａを受金具２へ楔状に嵌入させているので、嵌入量が一定になり難く、足場が傾斜したり、ガタツクといった問題がある。そこで、出願人は、先に楔緊結式の新規な連結装置を開発した（特許文献１）。
【０００３】
この連結装置は、図５に示すように、支柱１の受金具２と横部材１０の両端に固設された連結金具１０ｂと楔１７とからなり、連結金具１０ｂは、端金１１と係止金具１２と弾性部材１３とで構成されている。そして、係止金具１２は、支持ピン１６で前後方向に回動可能に取り付けられ、下端に受金具２の下端に係止する係止爪１２ｃを備えている。
【０００４】
支柱１に横部材１０を連結する場合は、連結金具１０ｂの係合凹部１１ｈを支柱１の受金具２に係合させて載せ、楔１７を端金１１の先端側へ上方から内挿する。
楔１７の挿入前は、係止金具１２は上部側が板バネ１３によって押されており、係止爪１２ｃは、後方に位置するが、楔１７が打ち込まれると、係止金具１２が回動し、図６に示すように、係止爪１２ｃが受金具２の下端に係止する。
【０００５】
【特許文献１】実願２００５−１０６８５号
【考案の開示】
【考案が解決しようとする課題】
【０００６】
上記の楔緊結式の連結装置は、組立・解体の作業性がよく誰でも同じように簡便確実に連結できる。
しかしながら、楔は連結時以外は横部材と分離しているので、別に管理しなければならず煩雑である。また、連結装置を解体する場合、楔を下方からハンマーで叩いて係止部材１２の係止爪１２ｃを受金具２の下端から外すが、ハンマーで強く叩くと、楔が上方へ飛び出してしまうという懸念がある。楔が飛び出して落下するようなことがあると危険であるので、解体のときは十分注意する必要がある。なお、これを防止する手段としては、楔を連結金具１０ｂへ鎖などで連結することが考えられるが、製造コストが嵩むばかりでなく、鎖が邪魔となり作業性を損なうという難点がある。
【０００７】
そこで、本考案は、組立て、解体の作業性がよく、解体時にも楔が横部材から分離しない簡便な手段を備えた安全性の高い組立て足場の連結装置を提供することを目的としている。
【課題を解決するための手段】
【０００８】
本考案の組立て足場の連結装置は、上記の目的を達成するため次の手段を採った。すなわち、支柱に備えた平面視コ字状で下方へ傾斜した受金具に、横部材に備えた連結金具を係合させ、上方から楔を嵌入させて連結する組立て足場の連結装置であって、該連結金具は、該横部材の端部に固設され平面視逆コ字状で該支柱の受金具に係合する係合凹部１１ｈを備えた端金１１と、該端金１１内に設けられた係止金具２２および弾性部材とからなり、該係止金具２２は水平方向の支持ピンで回動可能に支持され、楔が嵌入したとき該受金具に係止する係止爪２２ｃを下端に備えるとともに、楔が上方へ抜けないようにするため、楔が所定以上に上方へ移動すると係止するストッパ２２ｅを備え、該弾性部材は、該係止金具２２の上部を外方へ付勢するように設けられたことを特徴としている。
なお、上記の構成には実施形態で説明する図面の符号を付したが、これは、内容を簡便に理解するためで、考案の技術的範囲を図面のものに限定するものではない。
【０００９】
この連結装置は、支柱の受金具、横部材の連結金具および楔とからなり、連結金具は、端金１１と、係止金具２２と、弾性部材とからなる。なお、受金具は図４で説明した従来と同じものを使用している。組付時は、楔を上からハンマーで叩くことによって、係止金具２２を前後方向に回動させて係止爪２２ｃが受金具へ係止する。そして、解体時は、楔の下端をハンマーで叩くことによって、係止金具２２を回動させて係止爪２２ｃが受金具から外れる。解体時にハンマーで強く叩かれても、楔は係止金具のストッパ２２ｅに係止し、抜け出すことはない。
係止金具に設けるストッパ２２ｅの形状および位置は特に限定しないが、支持ピンより上部に設けるとよい。上記の、楔が所定以上に上方へ移動する、の所定の値は一定の値ではなく、係止爪２２ｃが受金具から十分外れた状態から必要以上にといった程度の意味である。
【００１０】
弾性部材はゴムまたはバネを使用する。バネの場合は、例えば、支持ピンに捩りコイルバネを付設してもよいが、請求項２に記載のように、板バネを使用し、その上端と下端をそれぞれ水平方向のピンに係止して前記係止金具２２の背面側に配置するのが望ましい。なお、上記の係止金具２２の上部を外方へ付勢するとは、係止金具１２の支持ピンより上の部分を支柱側へ付勢することを意味する。
【考案の効果】
【００１１】
本考案の組立て足場の連結装置は、上記のように、係止金具２２は水平方向の支持ピンで回動可能に支持され、楔が嵌入したとき受金具に係止する係止爪２２ｃを下端に備えるとともに、楔が上方へ抜けないようにするため、楔が所定以上に上方へ移動すると係止するストッパ２２ｅを備え、弾性部材は、係止金具２２の上部を外方へ付勢するように設けられているので、組立時は、係合凹部１１ｈを受金具へ係合させて、楔２７を上から軽く打ち込むことにより、係止爪２２ｃが受金具に係合され、解体時は、楔２７を下から軽く打ち込むことによって係止爪２２ｃを解除でき、強く叩いても楔がストッパ２２ｅに係止する。従来に比べ作業性が格段によく、楔が飛び出る懸念もなく、安全性が高い。さらに、支柱は従来のものをそのまま使用できるので、本考案のものに変更するのに経済的負担が少ないという実用的な効果もある。
【００１２】
また、弾性部材を板バネとし、その上端と下端をそれぞれ水平方向のピンに係止して前記係止金具１２の背面側に配置（請求項２）すれば、作業性がよく耐久性の高いものにできる。
【考案を実施するための最良の形態】
【００１３】
本考案の組立て足場の連結装置の実施の形態を図１〜図３に基づいて説明する。
組立て足場は、受金具２が固設された支柱１を所定間隔をおいて、それぞれ高さ調節ジャッキの上に立設し、これに横部材１０を連結して組立てられる。
組立て足場の連結装置は、支柱１の受金具２と横部材１０の連結金具１０ｂと楔２７とから構成されている。なお、支柱１および受金具２の構成は、図４で説明した従来のものと同じである。
【００１４】
連結金具１０ｂは、横材１０ａの両端にそれぞれ固設され、端金１１と係止金具２２と弾性部材としての板バネ１３と、係止金具２２および板バネ１３を端金１１へ取り付けるための支持ピン１６およびピン１４，１５とから構成されている。
端金１１は、平面視逆コ字状で係合凹部１１ｈを備え、正面部１１ｅは、支柱１の外周面に面接触するように凹面に形成されている。そして、端金１１には、板バネ１３の上端を支持するピン１４のピン孔１１ａと、板バネ１３の下端を支持するピン１５のピン孔１１ｂと、係止金具２２を回転自在に支持ピン１６で支持するためのピン孔１１ｃが設けられている。なお、ピン孔１１ｂは、ピン１５が縦方向に移動できるように縦長に設けられている。
【００１５】
係止金具２２は、上部に楔２７と当接係合する円弧状の係合部２２ｂを備えるとともに、楔が所定以上に上方へ移動したときに楔に係止されるストッパ２２ｅを備え、下端には受金具２の下端に係止する係止爪２２ｃを備えている。そして、係止金具２２の略中央部にはピン孔２２ｄが設けられ、支持ピン１６で前後方向に回動可能に取り付けられている。
板バネ１３は、両端がフック状に形成され、係止金具２２側へ円弧状に湾曲させて、ピン孔１１ａ，１１ｂに挿嵌されたピン１４，１５に係止されている。
楔２７は、正面部２７ｂは平坦であるが、背面部２７ａは下方に向かって漸次細くなるように傾斜しており、中間部に凹部２７ｃと、ストッパ２２ｅが係止する若干斜め上向きの係止部２７ｄが設けられている。
板バネ１３、係止金具２２および楔２７の組立ては、まず、板バネ１３を所定の位置に保持してピン１４とピン１５をピン孔１１ａとピン孔１１ｂへそれぞれ嵌挿させて取り付ける。そして、係止金具２２のストッパ２２ｅを楔２７の係止部２７ｄに係止させた状態で上から端金１１へ押し込み、支持ピン１６をピン孔１１ｃ，２２ｄに挿通すればよい。  
【００１６】
次に、このように構成された組立て足場の連結装置の作用について説明する。
横部材１０の連結前の状態は、図３に示すように、楔２７が端金１１の上部側に位置し、当接面２７ａが係止金具２２の係合部２２ｂに当接している。係止金具２２は上部側が板バネ１３によって押されており、支持ピン１６を支点として反時計回りに回動した状態となっている。なお、このとき、板バネ１３の下端はピン孔１１ｂの上の方に位置する。
立設された支柱１に横部材１０を連結する場合は、連結金具１０ｂの係合凹部１１ｈを支柱１の受金具２に係合させて載せる。このとき、係合凹部１１ｈは受金具２の上端に当接している。
【００１７】
次に、楔２７の頭部を上方からハンマーで打ち込む。これにより、楔１７は下方へ押し込まれ、係止金具２２を時計回りに回動させ、板バネ１３を撓ませて下端をピン孔１１ｂの下方へ移動させる。係止金具２２の回動により、係止爪２２ｃが受金具２の下端に係止し連結される（図１の状態）。
【００１８】
組立てられている組立て足場を分解するときは、図１において、楔２７の下端をハンマーで上方へ向けて叩くだけでよい。これにより、楔２７は上方へ移動し、これに伴って、板バネ１３の下端側が上方へ戻され、係止金具２２が時計回りに回動し、係止爪２２ｃが受金具２から離脱する（図３の状態）。なお、ハンマーで楔２７の下端を上方へ強く叩いたとしても、楔２７の係止部２７ｄが、係止金具２２のストッパ２２ｅに係止するので、楔２７が端金１１から抜け出すことはない。
【００１９】
なお、上記の実施の形態では、板バネ１３の両端にピン１４，１５を係止させて、下端側のピン孔１１ｂを長孔としたが、ピン孔１１ｂをピン孔１１ａと同じ丸穴として、板バネ１３に荷重がかかったとき下端をピン１５から離脱して移動できるようにしてもよい。
【図面の簡単な説明】
【００２０】
【図１】本考案の組立て足場の連結装置の実施の形態を示す側面図である。
【図２】同、分解斜視図である。
【図３】同、横部材の連結前の状態を示す側面図である。
【図４】従来の組立て足場の連結装置の一例を示す斜視図である。
【図５】従来の組立て足場の連結装置の他の例を示す側面図で、連結前の状態を示す。
【図６】同、連結された状態を示す側面図である。
【符号の説明】
【００２１】
１  支柱
２  受金具
４  横部材
４ａ  端金
１０  横部材
１０ａ  横材
１０ｂ  連結金具
１１  端金
１１ａ  ピン孔
１１ｂ  ピン孔
１１ｃ  ピン孔
１１ｄ  ピン孔
１１ｅ  正面部
１１ｈ  係合凹部
１２  係止金具
１２ａ  背部
１２ｃ  係止爪
１３  板バネ
１４  ピン
１５  ピン
１６  支持ピン
１７  楔
２２  係止金具
２２ａ  背部
２２ｂ  係合部
２２ｃ  係止爪
２２ｄ  ピン孔
２２ｅ  ストッパ
２７  楔
２７ａ  当接面
２７ｂ  正面部
２７ｃ  凹部
２７ｄ  係止部
【図１】
0003123197.tif 000003
【図２】
0003123197.tif 000004
【図３】
0003123197.tif 000005
【図４】
0003123197.tif 000006
【図５】
0003123197.tif 000007
【図６】
0003123197.tif 000008